(57)【要約】【課題】監視用カメラ装置の多くはポールの上などの場所に設置されているため、設置後の外部機器との送受信機能のインターフェース設定の確認は容易ではない。通信により外部機器などから設定する場合、工場出荷状態であればインターフェース設定が分かるが、設定を変更した場合などは設定が不明となり通信ができなくなるという欠点がある。【解決手段】本発明のテレビジョンカメラ装置は、外部機器との送受信機能のインターフェース設定を表示する表示手段と、表示時間設定手段を備え、テレビジョンカメラ装置の電源投入時から表示時間設定手段で設定した所定時間は、表示手段で少なくともインターフェース設定を表示することを特徴とする。【選択図】  図１
2009044269.tif 000002
【特許請求の範囲】
【請求項１】
外部機器との送受信機能を備えたテレビジョンカメラ装置において、
前記送受信機能のインターフェース設定を表示する表示手段と、表示時間設定手段を備え、前記テレビジョンカメラ装置の電源投入時から前記表示時間設定手段で設定した所定時間は、前記表示手段で少なくとも前記インターフェース設定を表示することを特徴とするテレビジョンカメラ装置。
【請求項２】
請求項１に記載のテレビジョンカメラ装置において、更に外部からの制御により前記インターフェース設定を変更する設定変更手段を備えたことを特徴とするテレビジョンカメラ装置。
【発明の詳細な説明】
【技術分野】
【０００１】
本発明は、テレビジョンカメラ装置に係わり、特に監視用カメラ装置のインターフェースに関するものである。
【背景技術】
【０００２】
従来、複数台のテレビジョンカメラをカメラ制御装置からリモートコントロール方式で制御し、使用する場合、そのカメラ番号、カメラマンの名前等の情報を、カメラ制御装置側にて検知、表示する手段を備えた発明が開示されている。（例えば、特許文献１参照。）。
【特許文献１】特開昭６２−２２４１６９号公報
【発明の開示】
【発明が解決しようとする課題】
【０００３】
監視用カメラ装置の多くはポールの上などの場所に設置されているため、設置後の外部機器との送受信機能のインターフェース設定の確認は容易ではない。通信により外部機器などから設定する場合、工場出荷状態であればインターフェース設定が分かるが、設定を変更した場合などは設定が不明となり通信ができなくなるという欠点がある。
【課題を解決するための手段】
【０００４】
本発明のテレビジョンカメラ装置は、外部機器との送受信機能のインターフェース設定を表示する表示手段と、表示時間設定手段を備え、テレビジョンカメラ装置の電源投入時から表示時間設定手段で設定した所定時間は、表示手段で少なくともインターフェース設定を表示することを特徴とする。
【０００５】
また、本発明のテレビジョンカメラ装置は、更に外部からの制御によりインターフェース設定を変更する設定変更手段を備えたことを特徴とする。
【発明の効果】
【０００６】
本発明によれば、テレビジョンカメラ装置のインターフェース設定が不明とならず、外部機器との通信が容易にできる。
【発明を実施するための最良の形態】
【０００７】
本発明の一実施例を図１で説明する。図１は本発明の一実施例であるテレビジョンカメラシステムの動作を説明するためのブロック図である。
【０００８】
雲台カメラ装置１は図示していない被写体を撮像して映像信号を生成し、生成した映像信号をネットワーク２で伝送可能な所定の画像データに変換して、インターネット等のネットワーク２を介して制御端末装置３に伝送する。また、雲台カメラ装置１は表示部４に映像信号を出力する。操作部５は雲台カメラ装置１の設定または手動操作を行う。伝送する画像データは画像圧縮や暗号化した信号等でも良い。
【０００９】
雲台カメラ装置１は、フォーカスおよびズーム倍率が変更可能なレンズ部１０１と、水平方向の旋回角が変更可能な旋回駆動部１０６と、垂直方向の仰角が変更可能な仰角駆動部１０７で、撮像方向および視野を変えることができる。
【００１０】
雲台カメラ装置１のレンズ部１０１は図示していない被写体からの光を撮像部１０２に結像し、撮像部１０２は結像された光を映像信号に光電変換して文字信号重畳部１０３に出力する。文字信号重畳部１０３は入力された映像信号に文字信号を重畳して送受信部１０４と映像信号出力部１０９に出力する。送受信部１０４は入力された映像信号を所定の画像データに変換してネットワーク２に配信する。ＣＰＵ（Central Processing Unit）部１０８は雲台カメラ装置１内の制御を行う。メモリ部１１０は雲台カメラ装置１内の各設定値を記憶する。
【００１１】
制御端末装置３の送受信部３０１は雲台カメラ装置１から配信された画像データを受信して制御部３０２に出力する。制御部３０２は入力された画像データを表示部３０３に表示する。制御端末装置３から雲台カメラ装置１の遠隔操作は、操作者が制御端末装置３の操作部３０４を操作して行う。操作者が操作部３０４を操作した指示信号は、制御部３０２で雲台カメラ装置１の制御信号として送受信部３０１を介してネットワーク２に配信する。雲台カメラ装置１の送受信部１０４は制御端末装置３から配信された制御信号を受信してＣＰＵ部１０８に出力する。ＣＰＵ部１０８は入力された制御信号を基にメモリ部１１０に制御用インターフェース等の各種設定値を記憶させると共に制御信号に従って、レンズ制御部１０５を介してレンズ部１０１のフォーカスおよびズームの制御、雲台制御部１０８を介して旋回駆動部１０６および仰角制御部１０７の制御を行う。
【００１２】
次に本発明の制御用インターフェース設定の表示に関する一実施例を図１乃至図３を用いて説明する。図２は本発明の一実施例である制御用インターフェース設定の表示画面を示す図である。図２（ａ）の表示画面はシリアル通信設定時であり、表示はＲＳ−４８５設定とＩＤ：１である。ＩＤは雲台カメラ装置１を識別するための識別記号である。図２（ｂ）の表示画面は同軸多重通信設定時であり、表示は同軸多重設定とＩＤ：１である。図２（ｃ）の表示画面はインターネット通信設定時であり、表示はインターネット設定とＩＰアドレスである。
【００１３】
図３は本発明の一実施例の動作を説明するためのフローチャートである。
【００１４】
本発明の一実施例の動作は図３の“開始”からスタートする。始めに操作者は操作部５または操作部３０４を操作してＣＰＵ部１０８に対して図３のステップＳ１の処理である初期設定を行う。本発明の一実施例の初期設定として、表示時間を１分に設定する。
【００１５】
ＣＰＵ部１０８はステップＳ２で電源投入時か否かを判定し、電源投入時の場合はステップ３に進み、電源投入時でない場合は“終了”に進む。
【００１６】
ＣＰＵ部１０８はステップＳ３で撮像部１０２から出力された映像信号に文字信号重畳部１０３でインターフェース設定の文字信号を重畳し、ステップＳ４に進む。ステップ３で重畳する文字信号は、例えばインターフェース設定がシリアル通信の場合は、図２（ａ）に示す「ＲＳ−４８５設定」と「ＩＤ：１」の文字信号を重畳する。インターフェース設定が同軸多重通信の場合は、図２（ｂ）に示す「同軸多重設定」と「ＩＤ：１」の文字信号を重畳する。インターフェース設定がインターネットの場合は、図２（ｃ）に示す「インターネット通信」と「ＩＰアドレス：１２３．４５６．１．２３４」の文字信号を重畳する。
【００１７】
ＣＰＵ部１０８はステップＳ４で、ステップＳ１で設定した表示時間が１分経過後に文字信号重畳部１０３での文字信号の重畳を停止し、“終了”に進む。
【００１８】
ＣＰＵ部１０８は図３の“終了”で動作を終了する。
【００１９】
以上本発明について詳細に説明したが、本発明は、ここに記載されたテレビジョンカメラ装置に限定されるものではなく、上記以外のテレビジョンカメラ装置に広く適用することができることは言うまでもない。
【図面の簡単な説明】
【００２０】
【図１】本発明の一実施例であるテレビジョンカメラシステムの動作を説明するためのブロック図。
【図２】本発明の一実施例である制御用インターフェース設定の表示画面を示す図。
【図３】本発明の一実施例の動作を説明するためのフローチャート。
【符号の説明】
【００２１】
１：雲台カメラ装置、２：ネットワーク、３：制御端末装置、４：表示部、５：操作部、１０１：レンズ部、１０２：撮像部、１０３：文字信号重畳部、１０４：送受信部、１０５：レンズ制御部、１０６：旋回駆動部、１０７：仰角駆動部、１０８：ＣＰＵ部、１０９：映像信号出力部、１１０：メモリ部、３０１：送受信部、３０２：制御部、３０３：表示部、３０４：操作部。
【図１】
2009044269.tif 000003
【図２】
2009044269.tif 000004
【図３】
2009044269.tif 000005